(57)【要約】【課題】通信端末装置において、電話番号毎に調整された通話音声を出力、送信する。【解決手段】複数の電話番号を持つことができる通信端末装置において、着信時に着信信号によって指定されている、複数の電話番号のいずれか１つである被指定番号を検出するモデム部６と、外線から受信した音声及び外線へ送信する音声の少なくとも一方を調整する通話音調整部７と、通話音調整部７による音声の調整の仕方を、電話番号毎に記憶する番号毎調整音記憶部２と、モデム部６により検出した被指定番号に対応する、番号毎調整音記憶部２に記憶されている調整の仕方に従って、通話音調整部７に音声を調整させる通話音制御部８とを備える。【選択図】図１
2008131605.tif 000002
【特許請求の範囲】
【請求項１】
複数の電話番号を持つ通信端末装置において、
着信時に着信信号によって指定されている、上記複数の電話番号のいずれか１つである被指定番号を検出する被指定番号検出部と、
外線から受信した音声及び外線へ送信する音声の少なくとも一方を調整する通話音調整部と、
前記通話音調整部による音声の調整の仕方を、前記電話番号毎に記憶する番号毎調整音記憶部と、
前記被指定番号検出部により検出した被指定番号に対応する、前記番号毎調整音記憶部に記憶されている調整の仕方に従って、前記通話音調整部に音声を調整させる通話音制御部と、を備えたことを特徴とする通信端末装置。
【請求項２】
前記通話音制御部は、外線との通話が終了したとき、前記通話音調整部による音声の調整の仕方を、前記被指定番号に対応する調整の仕方から、デフォルトの調整の仕方へ変更するものであることを特徴とする請求項１に記載の通信端末装置。
【請求項３】
外線との通信を、内線に接続された第２の通信端末装置へ中継する中継部を備え、
前記通話音制御部は、外線から受信し、前記中継部によって前記第２の通信端末装置へ出力する音声、及び、前記第２の通信端末装置から前記中継部を介して入力され、外線へ送信する音声の少なくとも一方を、前記通話音調整部に、前記被指定番号に対応する調整の仕方に従って調整させるものであることを特徴とする請求項１に記載の通信端末装置。
【請求項４】
外線との通信を、内線に接続された第２の通信端末装置へ中継する中継部を備え、
前記通話音制御部は、外線から受信し、前記中継部によって前記第２の通信端末装置へ出力する音声、及び、前記第２の通信端末装置から前記中継部を介して入力され、外線へ送信する音声を、前記通話音調整部に、前記被指定番号によらないデフォルトの調整の仕方に従って調整させるものであることを特徴とする請求項１に記載の通信端末装置。
【請求項５】
外線との通信を、内線に接続された第２の通信端末装置へ中継すると同時に、該第２の通信端末装置と自装置との間で通信を行う中継部を備え、
外線と、自装置と、前記第２の通信端末装置との三者間で通信を行うことを特徴とする請求項１に記載の通信端末装置。
【請求項６】
前記通話音調整部は、自装置から出力される音声の音量である受話音量の大小を調整する受話音量調整部を備えたことを特徴とする請求項１から５までのいずれか１項に記載の通信端末装置。
【請求項７】
前記通話音調整部は、自装置から出力される音声の周波数の高低を調整するとともに周波数成分の一部をカットする受話音質調整部を備えることを特徴とする請求項１から６までのいずれか１項に記載の通信端末装置。
【請求項８】
前記通話音調整部は、自装置から外線へ送信される音声の音量である送話音量の大小を調整する送話音量調整部を備えたことを特徴とする請求項１から７までのいずれか１項に記載の通信端末装置。
【請求項９】
前記通話音調整部は、自装置から外線へ送信される音声の周波数の高低を調整するとともに周波数成分の一部をカットする送話音質調整部を備えることを特徴とする請求項１から８までのいずれか１項に記載の通信端末装置。
【請求項１０】
複数の電話番号を持つ通信端末装置の制御方法において、
着信時に着信信号によって指定されている、上記複数の電話番号のいずれか１つである被指定番号を検出する被指定番号検出ステップと、
外線から受信した音声及び外線へ送信する音声の少なくとも一方を調整する通話音調整ステップと、
前記番号毎調整音記憶部に前記電話番号毎に記憶されている、前記被指定番号検出ステップにて検出した被指定番号に対応する調整の仕方に従って、前記通話音調整ステップにて音声を調整させる通話音制御ステップと、を含むことを特徴とする通信端末装置の制御方法。
【請求項１１】
請求項１ないし９のいずれか１項に記載の通信端末装置を動作させるための通信端末装置制御プログラムであって、コンピュータを上記の各部として機能させるための通信端末装置制御プログラム。
【請求項１２】
請求項１１に記載の通信端末装置制御プログラムが記録されたコンピュータ読取り可能な記録媒体。
【発明の詳細な説明】
【技術分野】
【０００１】
本発明は、一本の電話回線に複数の番号を持つことができるサービスに対応した通信端末装置、通信端末装置制御方法、通信端末装置制御プログラム及び記録媒体に関するものである。
【背景技術】
【０００２】
通信相手により、受話音を自動的に切り替える技術は一般的に知られている。
【０００３】
受話音質を自動的に切り替える通信端末装置に関連する技術として特許文献１が知られている。特許文献１には、「通話終了時に記憶しておき、次の着信又は発信時に、記憶されている電話番号と一致した場合は対応した受話音の調整状態を設定する」技術が開示されている。
【特許文献１】特開２００５−１３６７８８号公報（公開日：平成１７年５月２６日）
【発明の開示】
【発明が解決しようとする課題】
【０００４】
しかしながら、上記従来の構成では、通話相手に応じて受話音量、音質を切り替えることはできるが、ユーザーに応じて受話音量、音質を切り替えることができないという問題を生じる。
【０００５】
具体的には、例えば、耳の不自由なユーザーは、通話相手に応じて受話音量、音質を切り替えるのではなく、少なくとも受話音量を常に大きくしたい。これを解決するには、常に受話音量を大きくする必要がある。しかし、耳の不自由なユーザーのために常に受話音量を大きくする設定にすると、耳の不自由でないユーザーが利用する場合に、受話音量が大きすぎて聞き取りづらいという問題が生じる。
【０００６】
本発明は、上記の問題点に鑑みてなされたものであり、その目的は、一本の電話回線に複数の番号を持つことができるサービスに対応した通信端末装置であって、電話番号毎に調整された通話音声を入出力できる通信端末装置の提供を実現することにある。
【課題を解決するための手段】
【０００７】
上記課題を解決するために、本発明に係る通信端末装置は、複数の電話番号を持つ通信端末装置において、着信時に着信信号によって指定されている、上記複数の電話番号のいずれか１つである被指定番号を検出する被指定番号検出部と、外線から受信した音声及び外線へ送信する音声の少なくとも一方を調整する通話音調整部と、前記通話音調整部による音声の調整の仕方を、前記電話番号毎に記憶する番号毎調整音記憶部と、前記被指定番号検出部により検出した被指定番号に対応する、前記番号毎調整音記憶部に記憶されている調整の仕方に従って、前記通話音調整部に音声を調整させる通話音制御部と、を備えることを特徴としている。
【０００８】
上記の構成によれば、着呼時に外線通話する場合、着呼時に検出した被指定番号に対応する調整の仕方に従って調整された通話音声で出力すること、及び／又は調整された通話音声を外線に送信することができる。
【０００９】
よって、外線から着信を受けた電話番号に応じて音量や音質を調整して、外線からの音声を自装置や子機のスピーカから出力したり、自装置や子機からの音声を外線へ送信したりすることができる。したがって、電話番号をユーザー毎に割り当てておけば、ユーザー毎に快適な通話音を提供できるという効果を奏する。
【００１０】
さらに、本発明に係る通信端末装置では、前記通話音制御部は、外線との通話が終了したとき、前記通話音調整部による音声の調整の仕方を、前記被指定番号に対応する調整の仕方から、デフォルトの調整の仕方へ変更するものであることが好ましい。
【００１１】
上記の構成によれば、さらに、上記通話音制御部が、外線終了後、デフォルトに調整された通話音声を出力、及び外線へ送信できる。
【００１２】
よって、外線終了後は、前の被指定番号に合わせて調整された通話音声が出力、及び送信されないため、次のユーザーが使用する場合に、前の被指定番号に合わせて調整された通話音声がそのまま出力及び／又は送信されるという弊害を防止できるというさらなる効果を奏する。
【００１３】
さらに、本発明に係る通信端末装置では、外線との通信を、内線に接続された第２の通信端末装置へ中継する中継部を備え、前記通話音制御部は、外線から受信し、前記中継部によって前記第２の通信端末装置へ出力する音声、及び、前記第２の通信端末装置から前記中継部を介して入力され、外線へ送信する音声の少なくとも一方を、前記通話音調整部に、前記被指定番号に対応する調整の仕方に従って調整させるものであることが好ましい。
【００１４】
上記の構成によれば、さらに、前記通話音制御部が、前記通話音調整部に、前記被指定番号に対応する調整の仕方に従って調整させるものであることにより、調整された通話音声を前記第２の通信端末装置で出力、及び外線へ送信できる。
【００１５】
よって、ユーザーが外線を前記第２の通信端末装置へ転送して、前記第２の通信端末装置を利用して外線通話する場合に、転送後の前記第２の通信端末装置においても転送前と同様に快適に通話できるというさらなる効果を奏する。
【００１６】
さらに、本発明に係る通信端末装置では、外線との通信を、内線に接続された第２の通信端末装置へ中継する中継部を備え、前記通話音制御部は、外線から受信し、前記中継部によって前記第２の通信端末装置へ出力する音声、及び、前記第２の通信端末装置から前記中継部を介して入力され、外線へ送信する音声を、前記通話音調整部に、前記被指定番号によらないデフォルトの調整の仕方に従って調整させるものであることが好ましい。
【００１７】
上記の構成によれば、さらに、前記通話音制御部が、前記通話音調整部に、前記被指定番号によらないデフォルトの調整の仕方に従って調整させるものであることにより、デフォルトに調整された通話音声を前記第２の通信端末装置で出力、及び外線へ送信できる。
【００１８】
よって、ユーザーが外線を前記第２の通信端末装置へ転送して、別のユーザーが前記第２の通信端末装置で外線通話をする場合に、上記別のユーザーは、転送元の通信端末装置と同様に調整された通話音声で通話することになるという弊害を防止できるというさらなる効果を奏する。
【００１９】
さらに、本発明に係る通信端末装置では、外線との通信を、内線に接続された第２の通信端末装置へ中継すると同時に、該第２の通信端末装置と自装置との間で通信を行う中継部を備え、外線と、自装置と、前記第２の通信端末装置との三者間で通信を行うものであることが好ましい。
【００２０】
上記の構成によれば、さらに、外線と、自装置と、前記第２の通信端末装置との三者間で通信を行う際、自装置では前記被指定番号に合わせて調整された通話音声を出力、及び外線へ送信することができるとともに、前記第２の通信端末装置ではデフォルトに調整された通話音声が出力、及び外線へ送信できる。
【００２１】
よって、三者通話時に、自装置のユーザーは番号毎に調整された通話音声で快適に通話でき、前記第２の通信端末装置で通話している別のユーザーに対しては、デフォルトに調整された通話音声が出力、及び外線へ送信され、自装置の調整された通話音声が出力、及び外線へ送信されるという弊害を防止できるというさらなる効果を奏する。
【００２２】
さらに、本発明に係る通信端末装置では、上記通話音調整部は、自装置から出力される音声の音量である受話音量の大小を調整する受話音量調整部を備えることが好ましい。
【００２３】
上記の構成によれば、個々の電話番号に合わせて受話音量の大小を調整することができる。したがって、ユーザー毎に電話番号を割り当てると、ユーザー毎に受話音量の大小を調整できるというさらなる効果を奏する。
【００２４】
さらに、本発明に係る通信端末装置では、上記通話音調整部は、自装置から出力される通話音声の周波数の高低を調整するとともに周波数成分の一部をカットする受話音質調整部を備えることが好ましい。
【００２５】
上記の構成によれば、さらに、個々の電話番号に合わせて通話音声の周波数の高低を調整するとともに周波数成分の一部をカットすることができる。したがって、ユーザー毎に電話番号を割り当てると、ユーザー毎に受話音質を調整できるというさらなる効果を奏する。
【００２６】
さらに、本発明に係る通信端末装置では、上記通話音調整部は、自装置から外線へ送信される通話音声の音量である送話音量の大小を調整する送話音量調整部を備えることが好ましい。
【００２７】
上記の構成によれば、さらに、個々の電話番号に合わせて外線へ送信される通話音声の音量である送話音量の大小を調整できる。したがって、ユーザー毎に電話番号を割り当てると、ユーザー毎に送話音量の大小を調整できるというさらなる効果を奏する。
【００２８】
さらに、本発明に係る通信端末装置では、上記通話音調整部は、自装置から外線へ送信される通話音声の周波数の高低を調整するとともに周波数成分の一部をカットする送話音質調整部を備えることが好ましい。
【００２９】
上記の構成によれば、さらに、上記通話音調整部が、自装置から外線へ送信される通話音声の周波数の高低を調整するとともに周波数成分の一部をカットすることができる送話音質調整部を備えることにより、送話音質を調整できる。
【００３０】
よって、個々の電話番号に合わせて外線へ送信される通話音声の周波数の高低を調整するとともに周波数成分の一部をカットすることができる。したがって、ユーザー毎に電話番号を割り当てると、ユーザー毎に送話音質を調整できるというさらなる効果を奏する。
【００３１】
また、本発明に係る通信端末装置の制御方法は、複数の電話番号を持つことができる通信端末装置の制御方法において、着信時に着信信号によって指定されている、上記複数の電話番号のいずれか１つである被指定番号を検出する被指定番号検出ステップと、外線から受信した音声及び外線へ送信する音声の少なくとも一方を調整する通話音調整ステップと、前記番号毎調整音記憶部に前記電話番号毎に記憶されている、前記被指定番号検出ステップにて検出した被指定番号に対応する調整の仕方に従って、前記通話音調整ステップにて音声を調整させる通話音制御ステップと、を含むことを特徴としている。
【００３２】
上記の方法によれば、着呼時に外線通話する場合、着呼時に検出した被指定番号に対応する調整の仕方に従って調整された通話音声で出力すること、及び／又は調整された通話音声を外線に送信することができる。
【００３３】
よって、外線から着信を受けた電話番号に応じて音量や音質を調整して、外線からの音声を自装置や子機のスピーカから出力したり、自装置や子機からの音声を外線へ送信したりすることができる。したがって、電話番号をユーザー毎に割り当てておけば、ユーザー毎に快適な通話音を提供できるという効果を奏する。
【００３４】
なお、上記通信端末装置は、コンピュータによって実現してもよく、この場合には、コンピュータを上記各部として動作させることにより上記通信端末装置をコンピュータにて実現させる通信端末装置の制御プログラム、およびそれを記録したコンピュータ読み取り可能な記録媒体も、本発明の範疇に入る。
【発明の効果】
【００３５】
以上のように、本発明に係る通信端末装置は、複数の電話番号を持つ通信端末装置において、着信時に着信信号によって指定されている、上記複数の電話番号のいずれか１つである被指定番号を検出する被指定番号検出部と、外線から受信した音声及び外線へ送信する音声の少なくとも一方を調整する通話音調整部と、前記通話音調整部による音声の調整の仕方を、前記電話番号毎に記憶する番号毎調整音記憶部と、前記被指定番号検出部により検出した被指定番号に対応する、前記番号毎調整音記憶部に記憶されている調整の仕方に従って、前記通話音調整部に音声を調整させる通話音制御部と、を備える構成である。
【００３６】
また、本発明に係る通信端末装置の制御方法は、複数の電話番号を持つことができる通信端末装置の制御方法において、着信時に着信信号によって指定されている、上記複数の電話番号のいずれか１つである被指定番号を検出する被指定番号検出ステップと、外線から受信した音声及び外線へ送信する音声の少なくとも一方を調整する通話音調整ステップと、前記番号毎調整音記憶部に前記電話番号毎に記憶されている、前記被指定番号検出ステップにて検出した被指定番号に対応する調整の仕方に従って、前記通話音調整ステップにて音声を調整させる通話音制御ステップと、を含む方法である。
【００３７】
よって、外線から着信を受けた電話番号に応じて音量や音質を調整して、外線からの音声を自装置や子機のスピーカから出力したり、自装置や子機からの音声を外線へ送信したりすることができる。したがって、電話番号をユーザー毎に割り当てておけば、ユーザー毎に快適な通話音を提供できるという効果を奏する。
【発明を実施するための最良の形態】
【００３８】
以下、添付図面を参照しながら本発明の実施の形態を詳細に説明する。
【００３９】
図１は、本発明の実施の形態に係る通信端末装置１１及び、子機通信端末装置（第２の通信端末装置）１２、１３のブロック構成図を示したものである。
【００４０】
図１に示すように、通信端末装置１１は、電話回線１００に接続されており、電話回線１００に接続されている他の通信端末装置（図示せず）と電話による外線通話を行うものである。また、通信端末装置１１は、子機通信端末装置１２、１３と無線あるいは有線によって通信可能に接続されており、電話回線１００に接続されている他の通信端末装置との外線通話を、子機通信端末装置１２、１３へ中継するものである。
【００４１】
上記通信端末装置１１は、システム制御部１、番号毎調整音記憶部２、既定音記憶部３、操作表示部４、網制御部５、モデム部（被指定番号検出部）６、通話音調整部７、通話音制御部８、送受話部９、システムバス１０を備えて構成されている。また、通話音調整部７は、受話音量調整部７１、受話音質調整部７２、送話音量調整部７３、送話音質調整部７４を備えている。また、上記通信端末装置１１は外線通話の他に、子機通信端末装置１２、１３と内線通話できる。
【００４２】
図１において、システム制御部１は、上記通信端末装置１１の他の各部を制御するマイクロコンピュータである。
【００４３】
番号毎調整音記憶部２は、電話番号毎に調整した通話音調整状態（音量、音質）を示す番号毎調整音設定情報を記憶するメモリである。番号毎調整音設定情報は、通話音調整部７が、通話音声を調整する際に、どのように調整すべきかという内容を参照する時に利用される。
【００４４】
既定音記憶部３は、通信端末装置１１及び子機通信端末装置１２、１３の既定の通話音調整状態（音量、音質）を示す既定音設定情報を記憶するメモリである。既定音設定情報は、通話音調整部７が、通話音声をデフォルトに戻す場合に、戻す内容を参照する時に利用される。
【００４５】
操作表示部４は、通信端末装置１１の動作状態を表示する一方、ユーザーが各種操作を行うものである。例えば、外線との接続及び切断の入力や、外線との接続中に、調整転送、非調整転送、三者通話等への移行をユーザーが選択入力できる。
【００４６】
網制御部５は、電話回線１００と接続され、発着信を行うための回線制御を行う。また、コードレス子機電話のような子機通信端末装置１２、１３も接続されており、子機通信端末装置１２、１３と通信するための回線制御も行う。
【００４７】
モデム部６は、電話回線１００から送信されてくる信号を復調し、復調した信号から着信番号を示す着信番号情報を抽出する。
【００４８】
送受話部９は、マイク、スピーカを備え、通信端末装置１１の通話の送話・受話を行うためのハンドセットである。
【００４９】
通話音調整部７は、受話音量調整部７１、受話音質調整部７２、送話音量調整部７３、送話音質調整部７４を備えることにより、受話音量、受話音質、送話音量、送話音質を調整する。
【００５０】
受話音量調整部７１は、受話音量の大小を調整する。ここで、受話音量とは、外線及び子機通信端末装置１２、１３から受信した通話音声を、送受話部９のスピーカから出力する際の音の大きさをいう。
【００５１】
受話音質調整部７２は、受話音周波数の高低を調整するとともに、受話音周波数成分の一部をカットする。ここで、受話音周波数とは、外線及び子機通信端末装置１２、１３から受信した通話音声を、送受話部９のスピーカから出力する際の音の周波数をいう。
【００５２】
送話音量調整部７３は、送話音量の大小を調整する。ここで、送話音量とは、送受話部９から入力された通話音声を、網制御部５から送信する際の音の大きさをいう。
【００５３】
送話音質調整部７４は、送話音周波数の高低を調整するとともに、送話音周波数成分の一部をカットする。ここで、送話音周波数とは、送受話部９から入力された通話音声を、網制御部５から送信する際の音の周波数をいう。
【００５４】
通話音制御部８は、番号毎調整音記憶部２で記憶されている番号毎設定音調整情報や既定音記憶部３で記憶されている既定音設定情報を読み出して、通話音調整部７に伝えることにより通話音声を調整させる。そして、調整された通話音声を送受話部９に送ることにより、調整された通話音声を、送受話部９から出力させる。また、調整された通話音声を、網制御部２１、３１を通して、子機通信端末装置１２、１３の送受話部２４、３４に送ることにより、送受話部２４、３４からも調整された通話音声を出力させる。さらに、送受話部９及び送受話部２４、３４から入力された通話音声を同様に調整し、網制御部５を通して、調整された通話音声を電話回線１００へ送信させる。以下、番号毎調整音設定情報に基づいて調整された通話音声を調整音声、既定音設定情報に基づいて調整された通話音声を既定音声という。
【００５５】
システムバス１０は、通信端末装置１１内の各部が相互間で各種制御信号やデータをやり取りするための信号ラインである。
【００５６】
次に、子機通信端末装置１２、１３について説明する。
【００５７】
子機通信端末装置１２、１３は、通信端末装置１１と無線又は有線によって通信可能に接続されている。そして、子機通信端末装置１２、１３は、外線通話を、通信端末装置１１で中継されることによって電話回線１００に接続されている他の通信端末装置と行うことができる。また、子機通信端末装置１２、１３同士も無線又は有線によって通信可能に接続されている。
【００５８】
そして、子機通信端末装置１２は、網制御部２１、システム制御部２２、操作表示部２３、送受話部２４、システムバス２０を備えて構成されている。
【００５９】
また、子機通信端末装置１３は、網制御部３１、システム制御部３２、操作表示部３３、送受話部３４、システムバス３０を備えて構成されている。
【００６０】
網制御部２１、３１は、通信端末装置１１と接続され通信するための回線制御を行う。また、網制御部２１及び網制御部３１は、互いに接続され、子機通信端末装置１２と子機通信端末装置１３との間で通信を行うための回線制御を行う。
【００６１】
システム制御部２２、３２は、それぞれ子機通信端末装置１２、１３の他の各部を制御するマイクロコンピュータである。
【００６２】
操作表示部２３、３３は、それぞれ子機通信端末装置１２、１３の動作状態を表示するとともに、ユーザーが各種操作を行うものである。例えば、外線との接続及び切断の入力や、内線通話の入力をユーザーが選択して入力できる。
【００６３】
送受話部２４、３４は、マイク、スピーカを備え、子機通信端末装置１２、１３の通話の送話・受話を行うためのハンドセットである。
【００６４】
ここで、通信端末装置１１、子機通信端末装置１２、１３からなる通信システムでは、調整転送、非調整転送、三者通話、内線通話をすることができる。
【００６５】
調整転送とは、通話中の通信端末装置から他の通信端末装置に転送して外線通話をする時に、転送前の通話音声の設定がそのまま転送後の通信端末装置に適用される場合をいう。具体的には、通信端末装置１１で外線通話中に、子機通信端末装置１２に調整転送する場合、ユーザーは、操作表示部４で調整転送の指示をする。そして、その信号を受けた通話音制御部８は、通信端末装置１１の送受話部９から出力される通話音声の設定を、子機通信端末装置１２にも適用し、網制御部５、網制御部２１を通って、子機通信端末装置１２の送受話部２４から、調整された通話音声が出力されるようにする。また、送受話部２４から入力された通話音声も、同様にして調整された状態で電話回線１００へ送信される。そして、送受話部９では通話音声の入力も出力もできないようにする。
【００６６】
非調整転送とは、通話中の通信端末装置から他の通信端末装置に転送して外線通話をする時に、転送前の通話音声の設定が転送後の通信端末装置に適用されない場合をいう。具体的には、通信端末装置１１で外線通話中に、子機通信端末装置１２に非調整転送する場合、ユーザーは、操作表示部４で非調整転送の指示をする。そして、その信号を受けた通話音制御部８は、既定音声を、網制御部５、網制御部２１を通して送受話部２４から出力する。また、送受話部２４から入力された通話音声も、同様にして既定音声の状態で電話回線１００へ送信される。そして、通信端末装置１１の送受話部９から出力されていた通話音声の設定を、子機通信端末装置１２には適用しない。さらに、送受話部９では通話音声の入力も出力もできないようにする。
【００６７】
三者通話とは、ひとつの通信端末装置が通話中に、他の通信端末装置で同時に同じ相手と外線通話をすることをいう。三者通話の場合は、上記他の通信端末装置には、既定音声の設定が適用される。具体的には、通信端末装置１１で外線通話中に、子機通信端末装置１２を用いて三者通話する場合、ユーザーは、操作表示部４で三者通話の指示をする。そして、その信号を受けた通話音制御部８は送受話部９から出力される通話音声の設定はそのまま適用し、子機通信端末装置１２には、既定音声の設定を適用する。すなわち、既定音記憶部３にある既定音設定情報を通話音調整部７に伝え、既定音声に調整された通話音声を、網制御部５、網制御部２１を通して送受話部２４から出力する。また、送受話部９から入力された通話音声は調整された状態で電話回線１００へ出力され、送受話部２４から入力された通話音声は、既定音声のまま通信端末装置１１及び電話回線１００へ出力される。
【００６８】
内線通話とは、外線通話中の通信端末装置以外の他の通信端末装置同士で通話することをいう。内線通話をする場合、外線通話中の通信端末装置における調整された通話音声の設定は、内線通話をしている他の通信端末装置には適用されない。具体的には、通信端末装置１１で外線通話中に、子機通信端末装置１２から子機通信端末装置１３へ内線通話をする場合、内線通話を行うユーザーは、子機通信端末装置１２の操作表示部２３で内線通話の指示をする。そして、その信号を受けた網制御部２１は、子機通信端末装置１３の網制御部３１と接続し、子機通信端末装置１２、１３は通話可能になる。この時、通信端末装置１１の通話音制御部８は関与せず、子機通信端末装置１２、１３の送受話部２４、３４から出力される通話音声及び送受話部２４、３４から入力されお互いの通信端末装置へ出力される通話音声は調整されていない。また、子機通信端末装置１３で外線通話中に、通信端末装置１１から子機通信端末装置１２へ内線通話をする場合、内線通話を行うユーザーは、通信端末装置１１の操作表示部４で内線通話の指示をする。そして、その信号を受けた網制御部５は子機通信端末装置１２の網制御部２１と接続し、通信端末装置１１と子機通信端末装置１２は通話可能になる。この時、通話音制御部８は関与せず、送受話部９、２４から出力される通話音声及び送受話部９、２４から入力されお互いの通信端末装置へ出力される通話音声は調整されていない。
【００６９】
なお、それぞれの詳細な動作は後述する。
【００７０】
上記通信端末装置１１の詳細な動作を、図２及び図５から図８のフローチャートに沿って以下に説明する。
【００７１】
図２は、通信端末装置１１が、着信を受けてから、終了するまでの動作を示すフローチャートである。
【００７２】
まず、通信端末装置１１では、網制御部５が、電話回線１００からCAR信号が送られてきているか否かを調べる（Ｓ１）。
【００７３】
CAR信号が送られてきている場合には（Ｓ１のはい）、網制御部５は、ＣＡＲ信号を受信して（Ｓ２）、モデム部６が、Ｖ．２３モデム信号を受信して同信号内にある被指定番号を検出する（Ｓ３）。
【００７４】
その後、網制御部５が、応答信号を送信する（Ｓ４）。
【００７５】
そして、着信信号が継続している状態で（Ｓ５のはい）、ユーザーが着信に対して通話操作を実行すると（Ｓ６のはい）、通話音制御部８は、被指定番号に対応する番号毎調整音設定情報を、番号毎調整音記憶部２から読み出して、通話音調整部７に伝え、電話回線１００と網制御部５が接続後に、調整された通話音声が送受話部９から出力し、送受話部９から入力された通話音声を同様に調整して電話回線１００へ送信するように、通話音声を調整する（Ｓ７）。そして、網制御部５は、電話回線１００と接続し（Ｓ８）、通信端末装置１１は外線通話状態となる。
【００７６】
ここで、図３は、通信端末装置１１の番号毎調整音記憶部２に格納されている番号毎調整音設定テーブルの一例である。番号毎調整音設定テーブルは、電話番号毎に通話音声をどのように調整すべきかという内容を示す。調整は、受話、送話の音量、音質を変更することによって行われる。そして、番号毎調整音設定テーブルは、通話音制御部８が被指定番号に対応する番号毎調整音設定情報を読み出すときに利用される。なお、ユーザーは操作表示部４を使用して、番号毎調整音設定情報の内容である受話、送話の音量、音質を設定でき、変更することもできる。
【００７７】
例えば、着信番号が３００１であった場合、通話音制御部８は、図３に従って、受話音量は６ｄＢ増幅、受話音質は周波数を高く、という番号毎調整音設定情報を読み出し、通話音調整部７に伝え、当該値に調整された通話音声を、送受話部９から出力させる。また、送話音量は４ｄＢ増幅、送話音質は変更しないという番号毎調整音設定情報を読み出して、通話音調整部７に伝え、送受話部９から入力された通話音声を当該値に調整して電話回線１００へ送信させる。
【００７８】
また、図４は、既定音記憶部３に格納されている既定音設定テーブルである。既定音設定テーブルは、通話音声のデフォルトの値を示す。これは、通信端末装置１１、子機通信端末装置１２、１３で共通でもよいし、装置毎にあってもよい。図４に従えば、送受話部９、２４、３４から出力される通話音声及び送受話部９、２４、３４から入力され電話回線１００へ送信される通話音声の音量、音質は変化せず、そのままである。
【００７９】
外線通話中に、ユーザーによる子機通信端末装置１２に調整転送する操作を検出した場合、具体的にはユーザーが行った、操作表示部４により子機通信端末装置１２への調整転送の指示の入力を検出した場合（Ｓ９のはい）、調整転送を行う。調整転送については後述する。一方、ユーザーによる子機通信端末装置１２に調整転送する操作を検出しない場合（Ｓ９のいいえ）、通信端末装置１１は外線通話を継続する。
【００８０】
また、外線通話中に、ユーザーによる子機通信端末装置１２に非調整転送する操作を検出した場合、具体的には、ユーザーが行った操作表示部４により子機通信端末装置１２への非調整転送の指示の入力を検出した場合（Ｓ１０のはい）、非調整転送を行う。非調整転送については後述する。ユーザーによる子機通信端末装置１２に非調整転送する操作を検出しない場合（Ｓ１０のいいえ）、通信端末装置１１は外線通話を継続する。
【００８１】
外線通話中に、ユーザーによる子機通信端末装置１２と三者通話する操作を検出した場合、具体的には、ユーザーが行った操作表示部４により子機通信端末装置１２との三者通話の指示の入力を検出した場合（Ｓ１１のはい）、三者通話を行う動作になる。三者通話については後述する。ユーザーによる子機通信端末装置１２と三者通話する操作を検出しない場合（Ｓ１１のいいえ）、通信端末装置１１は外線通話を継続する。
【００８２】
外線通話中に、子機通信端末装置１２と子機通信端末装置１３とで内線通話をする操作を検出した場合、具体的には、ユーザーが行った子機通信端末装置１２又は子機通信端末装置１３の操作表示部２３又は操作表示部３３による内線通話の指示の入力を検出した場合（Ｓ１２のはい）、内線通話を行う。内線通話については後述する。また、内線通話をする操作があっても、なくても（Ｓ１２のいいえ）、そのまま通信端末装置１１は外線通話を継続する。なお、外線通話中でなくても、子機通信端末装置１２と子機通信端末装置１３とで内線通話をすることができる。
【００８３】
外線通話中に、ユーザーによって通話を終了する操作があるまで（Ｓ１３のいいえ）、通信端末装置１１は外線通話を継続する。
【００８４】
一方、ユーザーによって通話を終了する操作があった場合（Ｓ１３のはい）、網制御部５は、電話回線１００との接続を切断する（Ｓ１４）。そして、通信端末装置１１は外線通話を終了する。
【００８５】
そして、通話音制御部８は、通信端末装置１１の既定音記憶部３から既定音設定情報を読み出して、通話音調整部７に伝え、既定の通話音調整状態（音量、音質）に戻す（Ｓ１５）。
【００８６】
なお、既定の通話音調整状態（音量、音質）に通話音声を設定する場合は、通話音調整部７を通さずに、電話回線１００からの通話音声を直接、送受話部９から出力し、送受話部９から入力された通話音声を直接電話回線１００へ送信しても良い。
【００８７】
図５は、通信端末装置１１が子機通信端末装置１２へ調整転送した場合の処理の流れを示すフローチャートである。
【００８８】
通信端末装置１１が外線通話中に、通信端末装置１１において、調整転送を行うと、通信端末装置１１の外線通話を、転送して子機通信端末装置１２で外線通話を行う。そして、通信端末装置１１で出力されていた調整音声は、そのまま子機通信端末装置１２で出力される。また、子機通信端末装置１２から電話回線１００へ送信される通話音声も、調整音声が送信される。具体的には、通話音制御部８は、被指定番号に対応する番号毎調整音設定情報を、番号毎調整音記憶部２から読み出して、通話音調整部７に伝え、子機通信端末装置１２と電話回線１００が接続後に、調整された通話音声が送受話部２４から出力し、送受話部２４から入力された通話音声を同様に調整して電話回線１００へ送信するように、通話音声を調整する（Ｓ５１）。送受話部２４からの出力及び、送受話部２４から入力された通話音声の電話回線１００への送信は、網制御部５、２１を通じて行う。そして、網制御部５は、子機通信端末装置１２と電話回線１００を接続し、その結果、子機通信端末装置１２は外線通話状態となる（Ｓ５２）。次に、通話音制御部８は、既定音記憶部３から既定音設定情報を読み出して、通話音調整部７に伝え、通信端末装置１１の音声調整の設定をデフォルトに戻す。これにより、通信端末装置１１は、送受話部９から、既定音声で、出力できる状態に戻る。また、送受話部９から入力された通話音声も既定音声に調整されて、電話回線１００へ送信できる状態に戻る（Ｓ５３）。
【００８９】
そして、調整転送された子機通信端末装置１２にて外線通話中に、ユーザーによって通話を終了する操作があるまで（Ｓ５４のいいえ）、子機通信端末装置１２は外線通話を継続する。
【００９０】
一方、子機通信端末装置１２にて外線通話中に、ユーザーによって通話を終了する操作があった場合（Ｓ５４のはい）、通信端末装置１１の網制御部５は、子機通信端末装置１２の網制御部２１との接続を切断するとともに電話回線１００との接続を切断する（Ｓ５５）。そして、子機通信端末装置１２は外線通話を終了する。
【００９１】
そして、通話音制御部８は、通信端末装置１１の既定音記憶部３から既定音設定情報を読み出して、通話音調整部７に伝え、既定音声を、送受話部２４から出力できる状態に戻す。また、送受話部２４から入力された通話音声を既定音声に調整して電話回線１００へ送信できる状態に戻す（Ｓ５６）。
【００９２】
なお、既定の通話音調整状態（音量、音質）に通話音声を設定する場合は、通話音調整部７を通さずに、電話回線１００からの通話音声を直接、送受話部９又は送受話部２４から出力し、送受話部９又は送受話部２４から入力された通話音声を直接電話回線１００へ送信しても良い。
【００９３】
図６は、通信端末装置１１が子機通信端末装置１２へ非調整転送した場合の処理の流れを示すフローチャートである。
【００９４】
通信端末装置１１が外線通話中に、通信端末装置１１において、非調整転送を行うと、通信端末装置１１の外線通話を、転送して子機通信端末装置１２で外線通話を行う。そして、子機通信端末装置１２では、既定音声が出力され、子機通信端末装置１２から電話回線１００へ送信される通話音声も、既定音声である。具体的には、通話音制御部８は、番号毎調整音設定情報ではなく、既定音記憶部３から既定音設定情報を読み出して、通話音調整部７に伝え、子機通信端末装置１２と電話回線１００が接続後に、既定音声を、送受話部２４から出力し、送受話部２４から入力された通話音声を既定音声状態にして電話回線１００へ送信するように、調整する（Ｓ６１）。送受話部２４からの出力及び、送受話部２４から入力された通話音声の電話回線１００への送信は、網制御部５、２１を通じて行う。
【００９５】
そして、網制御部５は、子機通信端末装置１２と電話回線１００を接続し、その結果、子機通信端末装置１２は外線通話状態となる（Ｓ６２）。次に、通話音制御部８は、既定音記憶部３から既定音設定情報を読み出して、通話音調整部７に伝え、通信端末装置１１の音声調整の設定をデフォルトに戻す。これにより、通信端末装置１１は、送受話部９から、既定音声で、出力できる状態に戻る。また、送受話部９から入力された通話音声も既定音声に調整されて、電話回線１００へ送信できる状態に戻る（Ｓ６３）。
【００９６】
そして、転送された子機通信端末装置１２にて外線通話中に、ユーザーによって通話を終了する操作があるまで（Ｓ６４のいいえ）、子機通信端末装置１２は外線通話を継続する。
【００９７】
一方、外線通話中に、ユーザーによって通話を終了する操作があった場合（Ｓ６４のはい）、網制御部５は、子機通信端末装置１２の網制御部２１との接続を切断するとともに、電話回線１００との接続も切断して（Ｓ６５）、子機通信端末装置１２は外線通話を終了する。
【００９８】
なお、既定の通話音調整状態（音量、音質）に通話音声を設定する場合は、通話音調整部７を通さずに、電話回線１００からの通話音声を直接、送受話部９又は送受話部２４から出力し、送受話部９又は送受話部２４から入力された通話音声を直接電話回線１００へ送信しても良い。
【００９９】
図７は、通信端末装置１１と子機通信端末装置１２とで三者通話した場合の流れを示すフローチャートである。
【０１００】
通信端末装置１１が外線通話中に、子機通信端末装置１２と三者通話を行うと、外線通話は通信端末装置１１と子機通信端末装置１２とで同時に通話できるようになる。そして、通信端末装置１１の送受話部９から出力されていた調整音声は、そのまま調整音声の状態で出力される。また、送受話部９から入力され電話回線１００とへ出力される通話音声も調整音声の状態で出力される。次に、子機通信端末装置１２の送受話部２４から出力される通話音声は調整音声ではなく、既定音声となる。また、送受話部２４から入力され通信端末装置１１と電話回線１００へ出力される通話音声も調整音声でなく既定音声となる。具体的には、通話音制御部８は、通信端末装置１１の送受話部９から出力される通話音声は調整音声のまま出力させ、子機通信端末装置１２に対しては、既定音記憶部３から既定音設定情報を読み出して、通話音調整部７に伝える。そして、通話音制御部８は、子機通信端末装置１２と電話回線１００が接続後に、既定音声を送受話部２４から出力し、送受話部２４から入力された通話音声を既定音声状態にして電話回線１００へ送信するように、調整する（Ｓ７１）。送受話部２４からの出力及び、送受話部２４から入力された通話音声の電話回線１００への送信は、網制御部５、２１を通じて行う。そして、網制御部５は、子機通信端末装置１２と電話回線１００とを接続し（Ｓ７２）、その結果、通信端末装置１１と子機通信端末装置１２は三者通話状態となる。
【０１０１】
そして、通信端末装置１１又は子機通信端末装置１２のユーザーによって通話を終了する操作があるまで（Ｓ７３のいいえ、又はＳ７５のいいえ）、通信端末装置１１と子機通信端末装置１２は三者通話を継続する。
【０１０２】
一方、三者通話中に、通信端末装置１１のユーザーによって通話を終了する操作があった場合（Ｓ７３のはい）、外線通話を、通信端末装置１１で行うことを中止し、子機通信端末装置１２のみで行う。そして、通話音制御部８は、既定音記憶部３から既定音設定情報を読み出して、通話音調整部７に伝え、通信端末装置１１の音声調整の設定をデフォルトに戻す。これにより、通信端末装置１１は、送受話部９から、既定音声で、出力できる状態に戻る。また、送受話部９から入力された通話音声も既定音声に調整されて、電話回線１００へ送信できる状態に戻る（Ｓ７４）。そして、図６の子機通信端末装置１２の外線通話状態となる。
【０１０３】
また、三者通話中に、子機通信端末装置１２のユーザーによって通話を終了する操作があった場合（Ｓ７５のはい）、外線通話を子機通信端末装置１２で行うことを中止し、通信端末装置１１のみで行う（Ｓ７６）。そして、図２の通信端末装置１１の外線通話状態となる。
【０１０４】
なお、既定の通話音調整状態（音量、音質）に通話音声を設定する場合は、通話音調整部７を通さずに、電話回線１００からの通話音声を直接、送受話部９又は送受話部２４から出力し、送受話部９又は送受話部２４から入力された通話音声を直接電話回線１００へ送信しても良い。
【０１０５】
図８は、通信端末装置１１が外線通話中に、子機通信端末装置１２と子機通信端末装置１３とで内線通話した場合の処理の流れを示すフローチャートである。
【０１０６】
通信端末装置１１が外線通話中に、子機通信端末装置１２と子機通信端末装置１３で内線通話をする場合には、両者は、直接接続されるので、調整されてない通話音声で入出力を行う（Ｓ８１）。そして、網制御部２１、３１は子機通信端末装置１２と子機通信端末装置１３を接続して（Ｓ８２）、両者は内線通話状態となる。
【０１０７】
内線通話中に、ユーザーによって通話を終了する操作があるまで（Ｓ８３のいいえ）、子機通信端末装置１２と子機通信端末装置１３は内線通話を継続する。
【０１０８】
一方、子機通信端末装置１２又は子機通信端末装置１３のどちらかで、ユーザーによって通話を終了する操作がある場合（Ｓ８３のはい）、網制御部２１、３１は子機通信端末装置１２と子機通信端末装置１３を切断して（Ｓ８４）、内線通話を終了する。
【０１０９】
なお、通信端末装置１１、子機通信端末装置１２及び子機通信端末装置１３の上記実施形態は、これらに限定されるものではない。子機通信端末装置１２で外線通話中に、通信端末装置１１、又は子機通信端末装置１３に、調整転送、非調整転送、三者通話してもよいし、通信端末装置１１と子機通信端末装置１３で内線通話してもよい。また、子機通信端末装置１３で外線通話中に、通信端末装置１１、又は子機通信端末装置１２に、調整転送、非調整転送、三者通話してもよいし、通信端末装置１１と子機通信端末装置１２とで内線通話してもよい。
【０１１０】
また、子機通信端末装置は１２、１３の２台に限られるわけではない。
【０１１１】
最後に、通信端末装置１１の各ブロック、特にシステム制御部１、通話音調整部７および通話音制御部８は、ハードウェアロジックによって構成してもよいし、次のようにＣＰＵを用いてソフトウェアによって実現してもよい。
【０１１２】
すなわち、通信端末装置１１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである通信端末装置１１の制御プログラムのプログラムコード（実行形式プログラム、中間コードプログラム、ソースプログラム）をコンピュータで読み取り可能に記録した記録媒体を、上記通信端末装置１１に供給し、そのコンピュータ（またはＣＰＵやＭＰＵ）が記録媒体に記録されているプログラムコードを読み出し実行することによっても、達成可能である。
【０１１３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１４】
また、通信端末装置１１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１５】
本発明の通信端末装置によれば、一つの端末に複数の電話番号がある場合に、番号毎に通話音声を調整できる。よって、番号毎にユーザーを割り当てれば、ユーザー毎に通話音声を調整することができる。そこで、会社等で一台を複数人で使用し、かつ、着信番号が複数ある場合の電話機として利用することができる。
【図面の簡単な説明】
【０１１６】
【図１】本発明の実施の形態に係る通信端末装置のブロック構成図である。
【図２】本発明の制御例を示すフローチャートである。
【図３】通信端末装置の番号毎調整音記憶部内の番号毎調整音設定テーブルの一例である。
【図４】通信端末装置の既定音記憶部内の既定音設定テーブルである。
【図５】本発明の制御例を示すフローチャートである。
【図６】本発明の制御例を示すフローチャートである。
【図７】本発明の制御例を示すフローチャートである。
【図８】本発明の制御例を示すフローチャートである。
【符号の説明】
【０１１７】
１、２２、３２    システム制御部
２    番号毎調整音記憶部
３    既定音記憶部
４、２３、３３    操作表示部
５、２１、３１    網制御部（中継部）
６    モデム部（被指定番号検出部）
７    通話音調整部
８    通話音制御部
９、２４、３４    送受話部
１０、２０、３０    システムバス
１１    通信端末装置
１２    子機通信端末装置（第２の通信端末装置）
１３    子機通信端末装置（第２の通信端末装置）
７１    受話音量調整部
７２    受話音質調整部
７３    送話音量調整部
７４    送話音質調整部
１００  電話回線
【図１】
2008131605.tif 000003
【図２】
2008131605.tif 000004
【図３】
2008131605.tif 000005
【図４】
2008131605.tif 000006
【図５】
2008131605.tif 000007
【図６】
2008131605.tif 000008
【図７】
2008131605.tif 000009
【図８】
2008131605.tif 000010